(57)【特許請求の範囲】
【請求項１】
便器本体と、この便器本体とほぼ同じ高さ位置で且つ後方に設けられ便器本体の洗浄をするための洗浄水を貯水する貯水タンクと、この貯水タンク内の洗浄水を上記便器本体に圧送する加圧ポンプと、ジェット側へ洗浄水を供給するジェット側給水管と、リム側へ洗浄水を供給するリム側給水管と、上記貯水タンク及び上記加圧ポンプを覆うケーシングと、このケーシング内に収容された上記加圧ポンプなどの機械類を備える水洗便器であって、
上記ジェット側又は上記リム側のいずれかの給水管に接続され、且つ常時大気に開放された大気開放部を備えたバキュームブレーカと、
上記貯水タンクの上部にその一端部が接続され、その貯水タンク内と連通している通気管と、を有し、
上記バキュームブレーカは、その上面をほぼ覆う天板部を有し、上記通気管の他端は、この天板部に向けて開口すると共に、上記バキュームブレーカの大気開放部と常時連通するように設けられていることを特徴とする水洗便器。
【請求項２】
上記貯水タンクには、その上部に上方に突出した上部空間を有し、
この上部空間には、上記貯水タンクへ水を供給する給水管の一端部が接続されていると共にその給水管の一端部と同じ高さか或いは上方に上記通気管の一端部が接続されている請求項１に記載の水洗便器。
【請求項３】
上記上部空間には、その上部空間に接続された上記通気管の一端部及び／又は上記給水管の一端部に、それらの一端部を塞ぐことが出来る止水用の浮き球とそれを保持する籠部材が設けられている請求項２に記載の水洗便器。
【請求項４】
さらに、ジェット側給水管及びリム側給水管への給水を切り替える給水路切替弁を有し、
上記ジェット側給水管には、上記給水路切替弁と上記貯水タンクとの間の給水管が含まれ、上記バキュームブレーカは、この給水管に接続されている請求項１乃至３のいずれか１項に記載の水洗便器。
【請求項５】
便器本体と、この便器本体とほぼ同じ高さに設けられた貯水タンクと、この貯水タンク内の水を上記便器本体に圧送する加圧ポンプと、上記貯水タンク及び上記加圧ポンプを覆うケーシングとを備える水洗便器であって、
上記貯水タンクの上部にその一端部が接続され、その貯水タンク内に水を供給する給水管と、
この給水管に接続され、その上面をほぼ覆う天板部と、常時大気に開放された大気開放部と、を備えたバキュームブレーカと、
上記貯水タンクの上部にその一端部が接続され、その貯水タンクの上部空間と連通している通気管と、を有し、
上記貯水タンクの上部にそれぞれ接続された上記通気管の一端部及び／又は上記給水管の一端部には、それらの一端部を塞ぐことが出来る止水用の浮き球及びそれを保持する籠部材が設けられ、上記通気管の他端部は、上記バキュームブレーカの天板部に向けて開口すると共に、上記バキュームブレーカの大気開放部と常時連通するように設けられていることを特徴とする水洗便器。
【発明の詳細な説明】
【技術分野】
【０００１】
本発明は、水洗便器に係り、特に、便器本体とほぼ同じ高さ位置に設けられ便器本体の洗浄をするための洗浄水を貯水する貯水タンクを備える水洗便器に関する。
【背景技術】
【０００２】
近年、水洗大便器において、便器本体や貯水タンクの他に、ボウル部に流す洗浄水を加圧する加圧ポンプや、ジェット給水路側とリム給水路側とを切り替える切替弁などの機器、さらに、これらの作動状態を制御する基板や、温水洗浄便座などの電装品などが設けられるようになっている。
【０００３】
【特許文献１】特開２００５−２６４４６９号公報
【発明の開示】
【発明が解決しようとする課題】
【０００４】
しかしながら、上述した機械類、即ち、機器、基板及び電装品などは、腐食してしまうなど水分に弱く、給水路や貯水タンクなどから分離して設置するのが望ましい。ところが、特に、貯水タンクは、この貯水タンク内の水を給水路に供給する際に貯水タンク内に空気を取り込む必要があり、いずれかの部位に空気取り入れ口や通気管が設けられる。従って、その貯水タンク内の水の水蒸気などがその空気取り入れ口や通気管から外部に流出して結露し、機械類（機器、基板及び電装品など）を腐食させてしまうことがあった。
【０００５】
また、貯水タンクにおいては、その貯水タンクに洗浄水を供給する給水管が負圧になる場合や、貯水タンク内へ水洗便器側からの加圧力が加わる場合に、その貯水タンク内の水がその給水管へと逆流し易くなる、という問題点もあった。
【０００６】
本発明は、上述した従来技術の問題点を解決するためになされたものであり、貯水タンク内の水蒸気が機械類を腐食させるなどの悪影響を及ぼすことを防止することが出来る水洗便器を提供することを目的とする。
また、本発明は、貯水タンク内の水がその貯水タンクへの給水管へと逆流することを防止することが出来る水洗便器を提供することを目的とする。
【課題を解決するための手段】
【０００７】
上記の目的を達成するために本発明は、便器本体と、この便器本体とほぼ同じ高さ位置で且つ後方に設けられ便器本体の洗浄をするための洗浄水を貯水する貯水タンクと、この貯水タンク内の洗浄水を便器本体に圧送する加圧ポンプと、ジェット側へ洗浄水を供給するジェット側給水管と、リム側へ洗浄水を供給するリム側給水管と、貯水タンク及び加圧ポンプを覆うケーシングと、このケーシング内に収容された加圧ポンプなどの機械類を備える水洗便器であって、ジェット側又はリム側のいずれかの給水管に接続され、且つ常時大気に開放された大気開放部を備えたバキュームブレーカと、貯水タンクの上部にその一端部が接続され、その貯水タンク内と連通している通気管と、を有し、バキュームブレーカは、その上面をほぼ覆う天板部を有し、通気管の他端は、この天板部に向けて開口すると共に、バキュームブレーカの大気開放部と常時連通するように設けられていることを特徴としている。
このように構成された本発明においては、貯水タンクの上部にその貯水タンク内と連通する通気管の一端部が接続され、その通気管の他端が、バキュームブレーカの上面をほぼ覆う天板部に向けて開口するように設けられている。従って、貯水タンク内に発生した水蒸気が通気管を通ってバキュームブレーカの上面をほぼ覆う天板部に向けて排出されるので、水蒸気がその天井部に結露して水となって、通気管などを通して貯水タンク内に戻されたり、各給水管などに排出される。これらの結果、水分がケーシング内に収容された加圧ポンプなどの機械類に結露して、腐食させてしまうことを防止することが出来る。
【０００８】
また、本発明において、好ましくは、貯水タンクには、その上部に上方に突出した上部空間を有し、この上部空間には、貯水タンクへ水を供給する給水管の一端部が接続されていると共にその給水管の一端部と同じ高さか或いは上方に通気管の一端部が接続されている。
このように構成された本発明においては、上部空間が通気管により大気開放部と同様の作用をするため、貯水タンクへ水を供給する給水管に負圧が生じても、空気を吸うことになるので、貯水タンクからその給水管への水の逆流を防止することが出来る。
【０００９】
また、本発明において、好ましくは、上部空間には、その上部空間に接続された通気管の一端部及び／又は給水管の一端部に、それらの一端部を塞ぐことが出来る止水用の浮き球とそれを保持する籠部材が設けられている。
このように構成された本発明においては、通気管の一端部及び／又は給水管の一端部を塞ぐことが出来る止水用の浮き球とそれを保持する籠部材が設けられているので、貯水タンク内の水が上部空間まで上昇したときに、水が通気管及び／又は給水管に逆流することを防止することが出来る。従って、例えば便器が詰まった際にラバーカップでゼット口を押すことにより貯水タンク内の水に水圧がかかっても、汚水が通気管及び／又は給水管を逆流して、水道本管に入り込むことを防止することが出来る。
【００１０】
また、本発明において、好ましくは、さらに、ジェット側給水管及びリム側給水管への給水を切り替える給水路切替弁を有し、ジェット側給水管には、給水路切替弁と貯水タンクとの間の給水管が含まれ、バキュームブレーカは、この給水管に接続されている。
このように構成された本発明においては、このバキュームブレーカで結露した水分が給水管或いは通気管を通して貯水タンク内に戻される。
【００１１】
また、上記の目的を達成するために本発明は、便器本体と、この便器本体とほぼ同じ高さに設けられた貯水タンクと、この貯水タンク内の水を便器本体に圧送する加圧ポンプと、貯水タンク及び加圧ポンプを覆うケーシングとを備える水洗便器であって、貯水タンクの上部にその一端部が接続され、その貯水タンク内に水を供給する給水管と、この給水管に接続され、その上面をほぼ覆う天板部と、常時大気に開放された大気開放部と、を備えたバキュームブレーカと、貯水タンクの上部にその一端部が接続され、その貯水タンクの上部空間と連通している通気管と、を有し、貯水タンクの上部にそれぞれ接続された通気管の一端部及び／又は給水管の一端部には、それらの一端部を塞ぐことが出来る止水用の浮き球及びそれを保持する籠部材が設けられ、通気管の他端部は、バキュームブレーカの天板部に向けて開口すると共に、バキュームブレーカの大気開放部と常時連通するように設けられていることを特徴としている。
このように構成された本発明においては、貯水タンクの上部にその貯水タンク内と連通する通気管の一端部が接続され、その通気管の他端が、バキュームブレーカの上面をほぼ覆う天板部に向けて開口するように設けられている。従って、貯水タンク内に発生した水蒸気が通気管を通ってバキュームブレーカの上面をほぼ覆う天板部に向けて排出されるので、水蒸気がその天井部に結露して水となって、通気管などを通して貯水タンク内に戻されたり、各給水管などに排出される。さらに、通気管の一端部及び／又は給水管の一端部を塞ぐことが出来る止水用の浮き球とそれを保持する籠部材が設けられているので、貯水タンク内の水が上部空間まで上昇したときに、水が通気管及び／又は給水管に逆流することを防止することが出来る。
【発明の効果】
【００１２】
本発明によれば、貯水タンク内の水蒸気が機械類を腐食させるなどの悪影響を及ぼすことを防止することが出来る。また、貯水タンク内の水がその貯水タンクへの給水管へと逆流することを防止することが出来る。
【発明を実施するための最良の形態】
【００１３】
以下、添付図面を参照して、本発明の実施形態による水洗便器を説明する。
先ず、図１乃至図３により、本発明の実施形態による水洗大便器の構造を説明する。図１は、本発明の実施形態による水洗大便器の側面図であり、図２は図１に示す水洗大便器の平面図であり、図３は本発明の実施形態による水洗大便器の水路系統を示す全体構成図である。
【００１４】
図１及び図２に示すように、本発明の実施形態による水洗大便器１は、便器本体２と、この便器本体２の上面に配置された便座４と、便座４を覆うように配置されたカバー６と、便器本体の後方上部に配置された局部洗浄装置８と、を備えている。さらに、便器本体２の後方には、機能部１０が配置されており、この機能部１０はサイドパネル（ケーシング）１１により覆われている。
【００１５】
便器本体２には、汚物を受けるボウル部１２と、このボウル部１２の底部から延びる排水トラップ管路１４と、排水トラップ管路１４の下端に接続された配水管１５と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐水するようになっている。リム吐水口１８は、ボウル部１２の左側上部後方に形成されており、ボウル部１２の上縁に沿って洗浄水を吐出するようになっている。
【００１６】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。トラップ下降管１４ｃの下端に上述した配水管１５が接続されている。
【００１７】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２によって加圧して、大流量でジェット吐水口１６から吐出させるようになっている。
【００１８】
次に、図３により、本実施形態による水洗大便器１の機能部１０を詳細に説明する。
図３に示すように、機能部１０には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。定流量弁３２は、止水栓２６、ストレーナ２８、分岐金具３０を介して流入した洗浄水を、所定の流量以下に絞るためのものである。
【００１９】
これらの定流量弁３２、電磁開閉弁３４、及び、給水路切替弁３６は、図３に示すように、バルブユニット３７として、一体的に組み立てられたものとなっている。また、給水路切替弁３６の下流側には、リム吐水口１８に洗浄水を供給するためのリム側給水路３８、及び、貯水タンク２０に洗浄水を供給するためのタンク側給水路４０が接続されている。
【００２０】
ここで、定流量弁３２を通過した洗浄水は、電磁開閉弁３４に流入し、電磁開閉弁３４を通過した洗浄水は、給水路切替弁３６により、リム側であるリム給水路３８からリム吐水口１８へ、又は、タンク側であるタンク側給水路４０から貯水タンク２０に供給されるようになっている。給水路切替弁３６は、リム側給水路３８とタンク側給水路４０の両方に同じタイミングで洗浄水を供給可能であって、リム側とタンク側への給水量の割合を任意に変更出来る切替弁である。
これらの電磁開閉弁３４の開閉操作、及び、給水路切替弁３６の切替操作は、機能部１０のコントローラ６２により制御される。
【００２１】
また、貯水タンク２０の下部には、ジェット側給水路４６が接続されており、このジェット側給水路４６の下流端は、ジェット吐水口１６に接続されている。また、ジェット側給水路４６の途中に上述した加圧ポンプ２２が設けられている。この加圧ポンプ２２は、貯水タンク２０に貯水された洗浄水を加圧して、ジェット吐水口１６から吐出させるためのものである。加圧ポンプ２２の回転数や作動時間等は、機能部１０に設けられたコントローラ６２により制御される。
【００２２】
ジェット側給水路４６は、加圧ポンプ２２より上流側の上流ジェット側給水路４６ａと下流側の下流ジェット側給水路４６ｂとから構成されている。ここで、下流ジェット側給水路４６ｂは、図３に示すように、先ず、加圧ポンプ２２から上方に延び、大便器１のボウル部１２の溜水面よりも上方に配管が配置され、その後、配管が下方に向けて延びて構成されている。このように上方に向けた凸型に形成されている下流ジェット側給水路４６ｂにおいて、その凸型部分の最も高い部分である頂部４６ｃは、貯水タンク２０からジェット吐水口１６に至るジェット側給水路４６の中で最も高い部分になっている。
【００２３】
次に、上述したリム側給水路３８には、リム吐水用バキュームブレーカ４８が設けられており、給水路２４に負圧が発生したときに洗浄水のリム吐出口１８からの逆流を防止している。また、リム吐出用バキュームブレーカ４８は、図３に示すように、ボウル部１２の上端面よりも上方に配置され、これにより、逆流を確実に防止している。さらに、リム吐水用バキュームブレーカ４８の大気開放部から溢れた洗浄水は、通気管（戻り管路）５０を通って貯水タンク２０に流入するようになっている。
タンク側給水路４０にも、逆止弁であるバキュームブレーカ４２が設けられており、洗浄水の貯水タンクからの逆流を防止している。
【００２４】
ここで、貯水タンク２０は、密閉タイプの貯水タンクであり、タンク側給水路４０と貯水タンク２０との接続部８０には、後述するようにボール式逆止弁４３が設けられている。このボール式逆止弁４３により、貯水タンク２０が満水状態になった場合でも、ボール９０が浮上して、タンク側給水路４０との接続部を閉鎖するので、洗浄水がタンク側給水路４０に逆流することがないようになっている。
同様に、通気管５０と貯水タンク２０の接続部８２にも、後述するようにボール式逆止弁４４が設けられており、貯水タンク２０が満水状態となった場合でも、洗浄水が戻り管路５０に逆流することはないようになっている。
【００２５】
さらに、ジェット側給水路４６の上流ジェット側給水路４６ａには、逆止弁であるジェット吐水用フラッパー弁５６及び水抜栓５８が設けられている。これらのジェット吐水用フラッパー弁５６及び水抜栓５８は、加圧ポンプ２２よりも下方の、貯水タンク２０の下端部付近の高さに配置されている。このため、水抜栓５８を開放することにより、メンテナンス時等に貯水タンク２０内及び加圧ポンプ２２内の洗浄水を排水することができるようになっている。
【００２６】
また、貯水タンク２０と加圧ポンプ２２の間にジェット吐水用フラッパー弁５６を配置することにより、貯水タンク２０内の水位が加圧ポンプ２２の高さよりも低くなった場合に、洗浄水が加圧ポンプ２２から貯水タンク２０に逆流し、加圧ポンプ２２内の洗浄水が抜け、加圧ポンプ２２が空運転してしまうことを防止している。また、加圧ポンプ２２の下方には、水受けトレイ６０が配置されており、結露した水滴や漏水を受けるようになっている。
【００２７】
貯水タンク２０の内部には、上方フロートスイッチ６４ａ、及び、下方フロートスイッチ６４ｂが配置されている。上方フロートスイッチ６４ａは、貯水タンク２０内の水位が通常使用時の満水位置（Ｌ１）に達するとオンに切り替わり、コントローラ６２はこれを検知して、電磁開閉弁３４を閉鎖させる。下方フロートスイッチ６４ｂは、貯水タンク２０内の水位が所定の水位（Ｌ３）まで低下するとオンに切り替わり、コントローラ６２はこれを検知して、加圧ポンプ２２を停止させる。
【００２８】
さらに、貯水タンク２０の上方フロートスイッチ６４ａよりも上方位置に、その一端７０ａが開口し、他端７０ｂが下流ジェット側給水路６４ｂに接続されたオーバーフロー流路７０が設けられている。このオーバーフロー流路７０には、逆止弁であるフラッパー弁７２が取り付けられている。
このオーバーフロー流路７０は、貯水タンク２０において、水が開口７０ａより高くなるような場合、その貯水タンク２０内の水をジェット側給水路４６に逃がして、貯水タンク２０から水が溢れ出すことがないようにするものである。
【００２９】
また、このオーバーフロー流路７０及びフラッパー弁７２により、洗浄水のジェット吐水口１６からの逆流を防止すると共に、これらの間の縁切りを行うことができるようになっている。また、オーバーフロー流路７０の他端７０ｂが、ボウル部１２内の溜水の水位よりも上方に設けられているため、洗浄水のジェット吐水口１６からの逆流をより確実に防止するようにしている。
【００３０】
上述した電磁開閉弁３４、給水路切替弁３６、加圧ポンプ２２などの動作内容を説明する。コントローラ６２は、使用者による便器洗浄スイッチ（図示せず）の操作により、電磁開閉弁３４、給水路切替弁３６を作動させ、先ずリム吐水口１８から吐水し、リム吐水を継続させながら、次に加圧ポンプ２２を作動してジェット吐水口からの吐水を開始させて、サイホン作用を発生させてボウル部１２の溜水を汚物と共に排出洗浄する。さらに、コントローラ６２は、加圧ポンプ２２の作動停止した後もリム吐水を継続してボウル部１２に溜水を貯めて洗浄終了する。その洗浄終了後、給水路切替弁３６を貯水タンク２０側に切り替えて洗浄水を貯水タンク２０に補給する。貯水タンク２０内の水位が上昇し、上方フロートスイッチ６４ａが規定の貯水量を検出すると、コントローラ６２は、電磁弁３４を閉鎖して給水を停止する。
【００３１】
次に、図３乃至図６により、貯水タンク２０の上部蓋構造を説明する。図４は、本発明の実施形態による貯水タンクの上部蓋を斜め上方から見た斜視図であり、図５は、本発明の実施形態による貯水タンクの上部蓋の裏側を斜め下方から見た斜視図であり、図６は、図４のVI-VI線に沿って見た上部蓋の断面図である。
図４及び図５に示すように、上部蓋部８４は、平面視で貯水タンク２０の外形と同じ形状に形成され、その周縁部がタンク本体に結合されている。この上部蓋部８４には、上方に突出する上部突出部８６が形成され、その内方の上部空間Ｓは、図３に示すように、満水位置Ｌ１より上方であり、空気で満たされている。
【００３２】
ここで、図３に示すように、便器本体２の排水トラップ管路１４が詰まってボウル部１２内の水位が上昇した際、ジェット吐水用フラッパー弁５６やオーバーフロー流路７０のフラッパー弁７２がゴミ噛み等によって正常に機能していないと、貯水タンク２０の水位はボウル部１２の上面から水が溢れる水位まで上昇する。従って、ボウル部１２の上面とタンク側給水路４０の吐水口８０ｂとの距離が、所謂エアギャップと呼ばれるものであり、この距離を所定量（１インチ以上）確保することにより、貯水タンク２０内の水が水道本管へ逆流することを防止することが可能である。
【００３３】
しかし、図３に示すように、本実施形態の貯水タンク２０においては、貯水タンク２０の容積を少なくコンパクトに構成するために、上部突出部８６内の上部空間Ｓは狭く、ボウル部１２の上面とタンク側給水路４０の吐水口８０ｂとの鉛直方向における距離は所定量確保できているものの、上部突出部８６の側壁とタンク側給水路４０の吐水口８０ｂとの距離が確保できていない。
【００３４】
ここで、水路系統の１次側であるタンク側給水路４０が負圧になったときには、その接続部８０の隣に、後述するようにバキュームブレーカ４２の大気開放部Ａへと接続された通気管５０が設けられているので、タンク側給水路４０は、貯水タンク２０内の水を吸引するのではなく、その通気管５０から空気を吸引するので、貯水タンク２０内の水がタンク側給水路４０に逆流することを防止することが出来る。
【００３５】
一方、便器詰まり時などに使用されるラバーカップ（図示せず）によりジェット吐水口１６から貯水タンク２０に水圧がかかったときには、ジェット吐水用フラッパー弁５６やオーバーフロー流路７０のフラッパー弁７２がゴミ噛み等によって正常に機能していないとその水圧を受けて貯水タンク２０内の水が上昇する。このような場合にタンク側給水路４０に逆流することを防止するために設けられた、ボール式逆止弁４３，４４について説明する。図３乃至図５に示すように、上述した上部蓋部８４の上部突出部８６の上面には、タンク側給水路４０が接続される接続部８０、及び、通気管５０が接続される接続部８２が設けられている。接続部８０では、タンク側給水路４０が接続される中空円筒形の接続部材８０ａが設けられ、この接続部材８０ａには、吐水口８０ｂが形成されている。接続部８２では、通気管５０（タンク側給水路のバキュームブレーカ４２及びリム吐水用バキュームブレーカ４８の大気開放部から溢れた洗浄水が貯水タンク２０に流入するための戻り管路５０）が接続される中空円筒形の接続部材８２ａが設けられ、この接続部材８２ａには、水蒸気や空気の出口８２ｂが形成されている。本実施形態では、タンク側給水路４０が接続される接続部８０、及び、通気管５０が接続される接続部８２はほぼ同じ高さに配置されているが、タンク側給水路４０が接続される接続部８０（接続部材８０ａ、吐出口８０ｂ）よりも、通気管５０が接続される接続部８２（接続部材８２ａ、出口８２ｂ）の方が上方に配置されていても良い。
【００３６】
図５及び図６に示すように、それぞれの接続部材８０ａ、８２ａの下方には、内部が空気で満たされているボール（浮き球）９０、９２がそれぞれ設けられ、さらに、これらのボール９０、９２を保持する籠部材９４、９６が設けられている。上部突出部８６内が空気で満たされている場合には、ボール９０、９２が籠部材９４、９６により受け止められて、各接続部材８０ａ、８０ｂ（吐水口８０ｂ及び出口８２ｂ）が開放状態になっている。従って、タンク側給水路４０の吐水口８０ｂから水が吐水可能となり、また、水蒸気や空気の出口８２ｂから水蒸気や空気が流れ出ることが可能になる。
【００３７】
従って、便器詰まり時などに使用されるラバーカップ（図示せず）によりジェット吐水口１６から貯水タンク２０に水圧がかかって貯水タンク２０内の水が上昇した場合、ボール９０、９２がそれぞれ貯水タンク２０内の水を受けてボール９０、９２自身の浮力により浮き上がり、吐水口８０ｂ（接続部材８０ａ）及び出口８２ｂ（接続部材８２ａ）を塞いて、貯水タンク２０内の水がタンク側給水路４０及び通水路５０に逆流するのを防止するようになっている。
【００３８】
これらのような逆流防止の作用は、特に、上述したエアギャップが比較的小さい場合に有効である。即ち、貯水タンク２０の大きさが、他の機器や、基板や、電装品などとの関係で比較的小さく形成される場合でも、有効に逆流を防止することが出来るからである。
【００３９】
次に、図７及び図８により、タンク側給水路のバキュームブレーカの構造及び各管の配管について説明する。図７は、本発明の実施形態によるバキュームブレーカの構造を示す断面図であり、図８は、本発明の実施形態によるバキュームブレーカ、タンク側給水管路及び通気管などを斜め上方から見た斜視図である。
先ず、図７に示すように、バキュームブレーカ４２には、入水口４２ａ、出水口４２ｂ及び大気開放口４２ｃが形成されている。入水口４２ａには、タンク側給水路４０の上流部４０ａが接続され、出水口４２ｂには、タンク側給水路４０の下流部４０ｂが接続され、大気開放口４２ｃは大気に開放されている。そして、この大気開放口４２ｃは、バキュームブレーカコマ４２ｆにより閉鎖されるようになっている。バキュームブレーカコマ４２ｆは、鉛直方向に移動可能に配置され、ガイド部４２ｄにより摺動可能になっている軸部４２ｅを有する。
【００４０】
使用時においては、入水口４２ａから洗浄水が流入すると、その水勢によりバキュームブレーカコマ４２ｆが上方位置に移動され、大気開放口４２ｃが閉鎖される。これにより、入水口４２ａから流入した洗浄水は、出水口４２ｂから吐出される。さらに、入水口４２ａからの洗浄水の流入が停止されると、バキュームブレーカコマ４２ｆは重力により下方位置に移動され、入水口４２ａが閉鎖される。また、出水口４２ｂは大気開放口４２ｃと連通する。なお、バキュームブレーカコマ４２ｆが重力により下方位置に移動し入水口４２ａを閉鎖するが、本実施形態においては、バキュームブレーカコマ４２ｆと入水口４２ａとの間に若干の隙間が生じるようになっている。従って、一次側であるタンク側給水路４０の上流部４０ａが負圧になっても、そのような隙間から空気を吸い込むことによって、タンク側給水路４０の下流部４０ｂの側からの水の逆流を防止することが出来る。また、このような隙間によってバキュームブレーカ４２内に溢れた水を一次側であるタンク側給水路４０の上流部４０ａに戻すことも可能である。
【００４１】
次に、バキュームブレーカ４２には通気管取付口４２ｈが形成されており、この通気管取付口４２ｈに、通気管５０が取り付けられている。タンク側給水路のバキュームブレーカ４２の大気開放部Ａから溢れた洗浄水は、戻り管路５０を通って貯水タンク２０に流入するようになっている。
次に、図７及び図８に示すように、バキュームブレーカ４２には、バキュームブレーカ天板部４２ｇが取り付けられている。このバキュームブレーカ天板部４２ｇは、バキュームブレーカ４２の大気開放部Ａをほぼ覆うように設けられているが、その周囲にバキュームブレーカ本体と若干の隙間を有しており、大気に開放されている。
【００４２】
ここで、上述した通気管取付口４２ｈ及びその取付口４２ｈ近傍における通気管５０は、バキュームブレーカ天板部４２ｇに向けて延びている。従って、貯水タンク２０から通気管５０を通って吐出される水蒸気や空気は、先ず、バキュームブレーカ天板部４２ｇに向けて流出して、バキュームブレーカ天板部４２ｇに当たるようになっている。その結果、水蒸気は、バキュームブレーカ天板部４２ｇで結露して、バキュームブレーカの大気開放部Ａ内に溜まり、この溜まった水は、再び通気管５０を通って、或いは、タンク側給水路４０の下流部４０ｂを通って、再び、貯水タンク２０内へと戻るようになる。
これにより、水蒸気が貯水タンク２０から抜け出てしまい、他の機器や基板、特に温水洗浄便座などの電装品に水分が付着して腐食してしまうなどの問題を防止することが出来る。
なお、本実施形態では、水蒸気を結露させる天板部として、タンク側給水路のバキュームブレーカ４２のものを利用しているが、リム吐水用バキュームブレーカ４８の天板部を利用しても良い。
【図面の簡単な説明】
【００４３】
【図１】本発明の実施形態による水洗大便器の側面図である。
【図２】図１に示す水洗大便器の平面図である。
【図３】本発明の実施形態による水洗大便器の水路系統を示す全体構成図である。
【図４】本発明の実施形態による貯水タンクの上部蓋を斜め上方から見た斜視図である。
【図５】本発明の実施形態による貯水タンクの上部蓋の裏側を斜め下方から見た斜視図である。
【図６】図６は、図４のVI-VI線に沿って見た上部蓋の断面図である。
【図７】本発明の実施形態によるバキュームブレーカの構造を示す断面図である。
【図８】本発明の実施形態によるバキュームブレーカ、タンク側給水管路及び通気管などを斜め上方から見た斜視図である。
【符号の説明】
【００４４】
１  水洗大便器
２  便器本体
１２  ボウル部
１４  排水トラップ管路
１６  ジェット吐水口
１８  リム吐水口
２０  貯水タンク
２２  加圧ポンプ
２４  給水路
３８  リム側給水路
４０  タンク側給水路
４２  タンク側給水路のバキュームブレーカ
４２ｇ  バキュームブレーカ天板部
４２ｈ  通気管取付口
４６  ジェット側給水路
４６ａ  上流ジェット側給水路
４６ｂ  下流ジェット側給水路
４３、４４  ボール式逆止弁
５０  通気管（戻り管路）
５６  ジェット吐水用フラッパー弁
６４ａ  上方フロートスイッチ
６４ｂ  下方フロートスイッチ
７０  オーバーフロー流路
７２  フラッパー弁
８０  タンク側給水路と貯水タンクとの接続部
８０ａ  接続部材
８０ｂ  吐水口
８２  戻り管路（通気管）と貯水タンクの接続部
８２ａ  接続部材
８２ｂ  出口
８６  貯水タンクの上方突出部
９０、９２  ボール（浮き球）
９４、９６  籠部材
Ａ  タンク側給水路のバキュームブレーカの大気開放部
Ｓ  貯水タンクの上方突出部の上部空間
【図１】
0005130802.tif 000002
【図２】
0005130802.tif 000003
【図３】
0005130802.tif 000004
【図４】
0005130802.tif 000005
【図５】
0005130802.tif 000006
【図６】
0005130802.tif 000007
【図７】
0005130802.tif 000008
【図８】
0005130802.tif 000009